(57)【要約】【課題】  吊下げ式と平置き式で陳列展示できる包装用箱として、吊下げ展示の際に箱本体が傾きのない吊下げ姿勢となり、吊下げ姿勢を安定に維持でき、平置き形態から吊下げ形態への転換をワンタッチ操作で行え、構造的に簡素で製作容易なものを提供する。【解決手段】  箱本体１の後板部１２の上部に設けられる差込み用スリット５が、横方向スリット部５ａの両端から斜め下方へ延びて互いにハの字状に配置する左右一対の斜状スリット部５ｂを有し、前板部１１の上縁に延設された吊下げ用フラップ２が、中間の横折り線ｍによって基部２１と先部２２とに区分され、基部２１及び先部２２の横折り線ｍから略等距離の位置に各々吊下げ用孔３ａ，３ｂが設けられ、先部２２の先端左右両側に係止片５が連設され、両係止片４，４の先端間の距離がが横方向スリット部５ａの長さより長く、斜状スリット部５ｂ，５ｂの下端間の距離以下に設定され、両係止片４，４の基端間の距離が横方向スリット部５ａの長さ以下に設定されている。【選択図】        図２
2006001631.tif 000002
【特許請求の範囲】
【請求項１】
箱本体の前後板部の一方の上部に差込み用スリットが設けられると共に、他方の上縁に吊下げ用フラップが延設され、
前記差込み用スリットは、横方向スリット部と、この横方向スリット部の左右両端から斜め下方へ延びて互いにハの字状に配置する左右一対の斜状スリット部とからなり、
前記吊下げ用フラップは、中間の横折り線によって基部と先部とに区分され、これら基部及び先部の前記横折り線から略等距離の位置に各々吊下げ用孔が設けられると共に、先部の先端に左右両側へ張出する係止片が連設され、
前記先部の左右係止片の先端間の距離が、前記差込み用スリットの横方向スリット部の長さより長く、且つ左右の斜状スリット部の下端間の距離以下に設定されると共に、両係止片の基端間の距離が横方向スリット部の長さ以下に設定され、
吊下げ形態において、吊下げ用フラップを前記中間折り線で山折りにして、その先部を前記差込み用スリットに差し込み、左右係止片を左右の斜状スリット部の上方内側に位置させることにより、当該吊下げ用フラップの先端側が箱本体に係止され、前後に配置する両吊下げ用孔に所要の水平吊り杆を通して吊下げ展示可能に構成されてなる包装用箱。
【請求項２】
前記差込み用スリットを設けた前後板部の一方に、左右の斜状スリット部の各下端から下方へ一定長さに延びる破断線が形成されてなる請求項１記載の包装用箱。
【請求項３】
前記差込み用スリットの横方向スリット部が前後板部の一方の上縁に沿って形成されると共に、前記吊下げ用フラップの基部の上下幅と、先部の左右係止片形成部を除く上下幅とが略等しく設定されてなる請求項１又は２に記載の包装用箱。
【請求項４】
前記吊下げ用フラップの基部の上下幅が箱本体の前後幅と略等しく設定され、非吊下げ形態において、吊下げ用フラップの先部を前記差込み用スリットに吊下げ形態よりも深く差し込むことにより、該吊下げ用フラップの基部が箱本体の上蓋部上に重なるように構成されてなる請求項１〜３のいずれかに記載の包装用箱。
【発明の詳細な説明】
【技術分野】
【０００１】
この発明は、各種商品を包装し、コンビニエンスストア等の店頭で吊下げ式と平置き式の両展示形態で陳列展示できる包装用箱に関する。
【背景技術】
【０００２】
従来、この種の包装用箱として、箱本体の後板部上縁に吊下げ用孔を備える吊下げ用フラップが延設され、吊下げ展示の際に該吊下げ用フラップを立ち上げ、その吊下げ用孔に所要の水平吊り杆を通すようにしたものが多用されている（例えば、特許文献１〜４）。しかるに、このような包装用箱では、吊下げ展示した際、箱本体は一点支持された後縁側の真下に重心が来るように前傾した吊下げ形態になるため、見栄えが悪い上に箱前面の印刷表示も活かされず、顧客に対する訴求力が半減してしまうという問題があった。
【特許文献１】特開平５−２５４５３９号公報
【特許文献２】特開２０００−１０３４２６号公報
【特許文献３】特開２００１−２３３３２７号公報
【特許文献４】特開２００１−２７８２４９号公報  そこで、箱本体の前後板部の一方の上縁に延設した吊下げ用フラップに、中間の横折り線とこれを挟む上下位置に吊下げ用孔とを設けると共に、前後板部の他方の上縁に沿った差込み用スリットを設け、吊下げ展示の際、吊下げ用フラップを中間の横折り線で山折りし、該フラップの先端部を差込み用スリットに挿入し、もって屋根形になった吊下げ用フラップの前後に配置する二つの吊下げ用孔に所要の水平吊り杆を通すことにより、箱本体を前後二点で支持して傾きのない吊下げ形態にするようにしたものが提案されている（特許文献５，６）。
【特許文献５】実開平３−３２０２２号公報
【特許文献６】実用新案登録第２６０５４４６号公報  しかしながら、上記提案に係る２種の包装用箱では、差込み用スリットに挿入した吊下げ用フラップの先端部が箱本体に対して充分に係止されない構造であるため、吊下げ展示した状態において、内容物を含む箱本体の重さで該先端部が差込み用スリットから自然に抜けたり、顧客が箱本体を少し下方へ引っ張っただけで該先端部が差込み用スリットから簡単に抜けたりし易く、この抜けによって前後一方側での一点支持状態になって箱本体が傾く上、屋根形になった吊下げ用フラップが先端の抜けで開き、元より一点支持形態である従来汎用の包装用箱よりも更に見苦しい形になるという難点があった。
【発明の開示】
【発明が解決しようとする課題】
【０００３】
この発明は、上述の事情に鑑みて、吊下げ式と平置き式の両展示形態で陳列展示できる包装用箱として、吊下げ展示の際に箱本体が傾きのない吊下げ姿勢となり、この吊下げ姿勢を安定に維持でき、しかも平置き形態から吊下げ形態への転換をワンタッチ操作で行えると共に、構造的に簡素で製作容易なものを提供することを目的としている。
【課題を解決するための手段】
【０００４】
上記目的を達成するために、請求項１の発明に係る包装用箱は、箱本体の前後板部の一方の上部に差込み用スリットが設けられると共に、他方の上縁に吊下げ用フラップが延設され、前記差込み用スリットは、横方向スリット部と、この横方向スリット部の左右両端から斜め下方へ延びて互いにハの字状に配置する左右一対の斜状スリット部とからなり、前記吊下げ用フラップは、中間の横折り線によって基部と先部とに区分され、これら基部及び先部の前記横折り線から略等距離の位置に各々吊下げ用孔が設けられると共に、先部の先端に左右両側へ張出する係止片が連設され、前記先部の左右係止片の先端間の距離が、前記差込み用スリットの横方向スリット部の長さより長く、且つ左右の斜状スリット部の下端間の距離以下に設定されると共に、両係止片の基端間の距離が横方向スリット部の長さ以下に設定されている。
【０００５】
また、上記の包装用箱において、前記差込み用スリットを設けた前後板部の一方に、左右の斜状スリット部の各下端から下方へ一定長さに延びる破断線が形成されてなる請求項２の構成、前記差込み用スリットの横方向スリット部が前後板部の一方の上縁に沿って形成されると共に、前記吊下げ用フラップの基部の上下幅と、先部の左右係止片形成部を除く上下幅とが略等しく設定されてなる請求項３の構成、前記吊下げ用フラップの基部の上下幅が箱本体の前後幅と略等しく設定された請求項４の構成、をそれぞれ好適態様としている。
【発明の効果】
【０００６】
請求項１の発明によれば、包装用箱を吊下げ形態とする際、吊下げ用フラップを中間の横折り線で山折りにして、その先部を差込み用スリットに差し込み、左右係止片を左右の斜状スリット部の上方内側に位置させることにより、当該吊下げ用フラップの先端側が箱本体に係止されるから、前後に配置する両吊下げ用孔に所要の水平吊り杆を通して吊下げ展示すれば、箱本体は前後で２点支持されるために傾きのない直立姿勢で保持され、見栄えの良い展示状態となる。しかも、この吊下げ展示状態での吊下げ用フラップは、左右係止片が左右の斜状スリット部の上方内側に配置しているため、箱本体の重さで差込み用スリットから抜出する懸念がないことは無論のこと、顧客が箱本体を下方へ引っ張っても、左右係止片が破断するまで強く引かない限りは差込み用スリットから離脱しない。
【０００７】
しかして、上述のように吊下げ用フラップの先端側を箱本体に係止させるには、該吊下げ用フラップの先部を差込み用スリットに差し込んだのち、該先部を押さえ気味にして引き上げるだけでよく、これによって左右係止片が左右の斜状スリット部の上方内側に来るから、例えば係止部の折り曲げや差し込み、係止部同士の嵌め併せといった格別な係止操作が一切不要であり、全くのワンタッチ操作で済む。また、このような係止構造とする上で、差込み用スリットの左右の斜状スリット部と、吊下げ用フラップの左右の係止片とを設けるだけでよく、構成的に極めて簡素であるから、該包装用箱を容易に且つ安価に製作できる。
【０００８】
請求項２の発明によれば、顧客が包装用箱に納めた商品を取り出す際、差込み用スリット部分を左右の破断線を利用して下向きに引き開けば、該差込み用スリットに差し込まれていた吊下げ用フラップの先端側が露呈するから、この吊下げ用フラップを捲って上蓋を容易に開くことができる。
【０００９】
請求項３の構成によれば、吊り下げ形態での吊下げ用フラップが箱本体との間で側面視二等辺三角形を構成し、外観体裁がよい上、吊下げ用フラップの左右係止片が箱本体内側の上隅部に位置して上蓋内面に接当するから、下向きの力が加わっても差込み用スリットからの破れを生じにくく、安定した吊下げ状態になる。
【００１０】
請求項４の発明によれば、非吊下げ形態において、吊下げ用フラップの先部を前記差込み用スリットに吊下げ形態よりも深く差し込むことにより、該吊下げ用フラップの基部が箱本体の上蓋部上に重なり、もって吊下げ用フラップ全体が箱本体から突出しない形になり、良好な外観体裁が得られる。
【発明を実施するための最良の形態】
【００１１】
以下、この発明に係る包装用箱の一実施形態について、図面を参照して具体的に説明する。図１（Ａ）は該包装用箱の吊下げ形態、同（Ｂ）は平置き形態、図２は組立前の展開状態、図３は同展開状態の上部、図４は吊下げ展示状態、図５は差込み用スリット部分を引き開いた状態、をそれぞれ示す。
【００１２】
この包装用箱Ｂは、図１（Ａ）の吊下げ形態で示すように、やや偏平な直方体形状の箱本体１と、吊下げ用フラップ２とからなり、全体が厚紙やプラスチックの原材からの打抜きプレスによって得られた図２の展開状態で示す一枚のシートＳにて構成されている。
【００１３】
この箱組立前のシートＳは、前後板部１１，１２と左右側板部１３，１４及び糊付け用フラップ１５が縦折り線ａ〜ｄを介して横並びに連設され、その前板部１１の上縁に吊下げ用フラップ２、同下縁に底板フラップ１６、後板部１２の上縁に上蓋フラップ１７、左右側板部１３，１４の上縁に蓋受けフラップ１８，１８、同下縁に底受けフラップ１９，１９がそれぞれ横折り線ｅ〜ｋを介して延設されている。
【００１４】
しかして、吊下げ用フラップ２は、中間の横折り線ｍによって幅広の基部２１と幅狭の先部２２とに区分され、これら基部２１と先部２２に横折り線ｍから略等距離の幅方向中央位置に各々吊下げ用孔３ａ，３ｂが形成されている。また、先部２２の先端側は更に横折り線ｎよって区分された差込み部２２ａをなし、この差込み部２２ａに左右両側へ張出する係止片４，４が連設されている。
【００１５】
一方、後板部１１の上部中央には、上縁つまり上側の横折り線ｇに沿う横方向スリット部５ａと、この横方向スリット部５ａの左右両端から斜め下方へ延びて互いにハの字状に配置する左右一対の斜状スリット部５ｂ，５ｂとからなる差込み用スリット５が形成されると共に、両斜状スリット部５ｂ，５ｂの下端から下方へ一定長さに延びる破断線６，６が形成されて、両破断線６，６の下端間に横折り線ｏが設けられている。
【００１６】
そして、図３に示すように、吊下げ用フラップ２における先部２２の左右係止片４，４の先端間の距離Ｗ１は、差込み用スリット５の横方向スリット部５ａの長さＬ２より長く、且つ左右の斜状スリット部５ｂ，５ｂの下端間の距離Ｌ１以下に設定される共に、両係止片４，４の基端間の距離Ｗ２が横方向スリット部５ａの長さＬ２以下に設定されている。また、吊下げ用フラップ２の基部２１の上下幅Ｈ１と、先部２２における差込み部２２ａを除く上下幅Ｈ２、ならびに箱本体１の前後幅Ｄが略等しく設定されている。
【００１７】
なお、底板フラップ１６は横折り線ｐによって底板部１６ａと差込み部１６ｂとに区分され、同様に上蓋フラップ１７も横折り線ｑによって上蓋部１７ａと差込み部１７ｂとに区分されている。そして、両差込み部１６ｂ，１７ｂの幅方向中央部には、円弧状と縦線状に開封誘導用破断線７が設けてある。更に、前後板部１１，１２の各下縁の左右二箇所に平置き用立て爪８が突設されている。
【００１８】
包装用箱Ｂは、上記構成のシートＳを縦折り線ｂ，ｄで折り、糊付け用フラップ１５を右側板部１３の内面側に貼着して箱本体１の四周を形成した偏平な形態で出荷され、商品包装の際に縦折り線ａ，ｃで曲げて箱本体１の四周を立体化し、内部に所要の商品を納め、横折り線ｅ〜ｋで折って両側開口を底板部１６ａ及び上蓋部１７ａで封鎖する。
【００１９】
しかして、店頭において吊下げ展示する場合、吊下げ用フラップ２を中間の横折り線ｍで鋭角に山折りにすると共に、横折り線ｅ，ｎでも少し曲げた状態で、該吊下げ用フラップ２の先部２２を差込み用スリット５に差し込んだのち、この先部２２を押さえ気味にして引き上げる。これにより、吊下げ用フラップ２の左右係止片４，４が左右の斜状スリット部５ｂ，５ｂの上方内側に廻って箱本体１内側の上隅部に配置し、その上縁が上蓋部１７ａの内面に接当するから、該吊下げ用フラップ２の先端側は差込み部２２ａが箱本体１内側に嵌入した状態で上方へ抜出不能に係止され、包装用箱Ｂは図１（Ａ）に示す吊下げ形態となる。この吊下げ形態とした包装用箱Ｂは、図４に示すように、屋根形になった吊下げ用フラップ２の前後に配置する両吊下げ用孔３ａ，３ｂに、陳列部の水平吊下げ杆９を通して吊下げ展示する。
【００２０】
かくして吊下げ展示された包装用箱Ｂは、箱本体１が吊下げ用フラップ２によって前後で２点支持されるため、傾きのない直立姿勢で保持され、見栄えが良く、箱前面の印刷表示等も視認し易い展示状態となる。また、吊下げ用フラップ２自体も、箱本体１との間で側面視正三角形を構成し外観体裁がよい。しかも、この吊下げ展示状態での吊下げ用フラップ２は、左右係止片４，４が左右の斜状スリット部５ｂ，５ｂの上方内側に配置しているため、箱本体１の重さで差込み用スリット５から外れる懸念はなく、顧客が箱本体１を下方へ引っ張っても、左右係止片４，４が破断するまで強く引かない限りは差込み用スリットから離脱しない。
【００２１】
一方、包装用箱Ｂを平置き展示する場合は、吊下げ用フラップ２の先部２２を差込み用スリット５に深く差し込めば、その基部２１が箱本体１の上蓋部１７ａ上に略等しい前後方向幅で重なり、図１（Ｂ）のように吊下げ用フラップ２全体が箱本体１から突出しない形になるから、良好な外観体裁が得られる。
【００２２】
また、この実施形態の包装用箱Ｂでは差込み用スリット５の左右両側に下方へ延びる破断線６，６を有するから、購入した顧客が包装用箱Ｂに納めた商品を取り出す際、図５に示すように、破断線６，６を利用して差込み用スリット５部分を下向きに引き開けば、該スリット５に差し込まれていた吊下げ用フラップ２の先端側が露呈する。従って、この吊下げ用フラップ２を上方へ捲り上げ、上蓋部１７ａを開いて簡単に商品を取り出すことができる。
【００２３】
なお、この発明の包装用箱では、差込み用スリット５を上述した実施形態よりも低い位置に形成することも可能である。すなわち、差込み用スリット５の低い位置に対応して吊下げ用フラップ２の先部２２を長くし、吊下げ状態で山折りにした該フラップ２の頂部つまり横折り線ｍの位置が箱本体１の前後方向の中央上に来るように設定するか、あるいは吊下げ用孔（３ａ）（３ｂ）の位置を調整すれば、該箱本体１を傾きのない直立姿勢の吊持状態に保持できると共に、吊下げ用フラップ２の先端側は左右係止片４，４が左右の斜状スリット部５ｂ，５ｂの上方内側に位置することによって抜出不能に係止される。ただし、実施形態のように差込み用スリット５の横方向スリット部５ａが箱本体１の上縁に沿う構成では、左右係止片４，４が箱本体１内側の上隅部に位置して上蓋部１７ａの内面に接当するから、下向きの力が加わっても差込み用スリット５からの破れを生じにくく、より安定した吊下げ状態になるという利点がある。
【００２４】
また、この発明では、差込み用スリット５の下方に別の差込み用スリットを設け、非吊下げ形態（平置き形態）において吊下げ用フラップ２の先端部を下方側の差込み用スリットに差し込むようにした構成や、大型の包装用箱の場合等で、吊下げ用フラップ２を左右二箇所に設けるか、その先部２２を二股にして各々の左右両側に係止片４を設け、これに対応して差込み用スリット５を左右二箇所に設けた構成も採用できる。
【図面の簡単な説明】
【００２５】
【図１】この発明の一実施形態に係る包装用箱を示し、（Ａ）図は吊下げ形態の斜視図、（Ｂ）図は平置き形態の斜視図である。
【図２】同包装用箱の組立前のシート形態を示す平面図である。
【図３】同シート形態における上部側の拡大図である。
【図４】同包装用箱の吊下げ展示状態を示す側面図である。
【図５】同包装用箱から商品を取り出す際の開封操作を示す斜視図である。
【符号の説明】
【００２６】
１    ・・・箱本体
１１  ・・・前板部
１２  ・・・後板部
１７ａ・・・上蓋部
２    ・・・吊下げ用フラップ
２１  ・・・基部
２２  ・・・先部
３ａ，３ｂ・吊下げ用孔
４    ・・・係止片                                                              ５    ・・・差込み用スリット
５ａ  ・・・横方向スリット部
５ｂ  ・・・斜状スリット部
６    ・・・破断線
９    ・・・水平吊下げ杆
Ｂ    ・・・包装用箱
Ｄ    ・・・箱本体の前後幅
Ｈ１  ・・・吊下げ用フラップの基部の上下幅
Ｈ２  ・・・吊下げ用フラップの先部の差込み部（左右係止片形成部）を除く上下幅
Ｌ１  ・・・左右の斜状スリット部の下端間の距離
Ｌ２  ・・・横方向スリット部の長さ
Ｓ    ・・・シート
Ｗ１  ・・・左右係止片の先端間の距離
Ｗ２  ・・・両係止片の基端間の距離
ｍ    ・・・横折り線
【図１】
2006001631.tif 000003
【図２】
2006001631.tif 000004
【図３】
2006001631.tif 000005
【図４】
2006001631.tif 000006
【図５】
2006001631.tif 000007